(57)【要約】ＴＤＭＡ−ＣＤＭＡ技術で構築した無線インタフェースを有するセルラ・ネットワークに移動局がアクセスするスケジューリングを行う無衝突のアクセス方法を開示し、ここではアクセス手順を２ステップで実行し、第１ステップでは、移動局が署名を送信してネットワークの確認応答を取得し、第２ステップではＲＡＣＨメッセージを送信し、ＲＡＣＨメッセージは可変のサイズにすることができる。本発明の方法はセルラ・ネットワークのマルチモード動作を可能にし、マルチモード動作では、異なるモードにおいてＲＡＣＨメッセージのサイズを異ならせることができ、このことは、移動局が、サポートされているモードに応じて送信を要求されるＲＡＣＨメッセージのパラメータ値にもとづいて、アクセス手順を制御するパラメータ値を適応させる、ということにもとづく。
2004517582.tif 000002
【特許請求の範囲】
【請求項１】
ＣＤＭＡ技術にもとづくセルラ電話システムにおけるアクセス・チャンネル・スケジューリング方法であって、ＣＤＭＡ技術によって、互いに直交する個々の符号列をそれぞれの移動局に割り当てて、前記移動局を無線インタフェースにおいて判別可能にして、前記移動局が、アップリンクでは共通搬送波をスペクトル拡散変調し、ダウンリンクの搬送波を逆拡散復調して、前記セルラ電話システムが、次の２ステップの手順：
第１ステップでは、前記移動局が、互いに直交する複数の符号列の中から選択したそれぞれの移動局の署名バースト（ＳＹＮＣ１）を、第１構成の物理チャンネル上でネットワークに送信して、第２構成の物理チャンネル（ＰＦＡＣＨ）上に到来する前記ネットワークからの確認応答メッセージを特定時間間隔だけ待機して、前記第２構成の物理チャンネルが、前記第１構成の物理チャンネルと直接的または間接的な相互関係を有する。
第２ステップでは、前記移動局が、前記確認応答メッセージを受信した後に、それぞれの移動局のアクセス要求メッセージ（ＲＡＣＨ）を、第３構成の物理チャンネル（ＰＲＡＣＨ）上で前記ネットワークに送信して、前記第３構成の物理チャンネルが、前記第２構成及び／または前記第１構成の物理チャンネルと直接的または間接的な相互関係を有する。
を採用して、前記移動局の前記ネットワークへのアクセスを維持するアクセス・チャンネル・スケジューリング方法において、この方法が、
１つのセル内に、唯一の署名の組（ＳＹＮＣ１）及び唯一種類の確認応答メッセージを割り当てるステップと、
前記移動局が、前記第３構成の物理チャンネル（ＰＲＡＣＨ）上での、他の移動局から送信されるアクセス要求メッセージ（ＲＡＣＨ）のいずれかとの衝突が回避あるいは最小化されるように、第１時間間隔及び第２時間間隔を計算するステップとを具えて、前記第１時間間隔は、前記移動局がそれぞれの移動局の署名バースト（ＳＹＮＣ１）を送信すべき時間間隔であり、前記第２時間間隔は、前記移動局が前記ネットワークからの前記確認応答メッセージの到着を待機しているべき時間間隔であり、前記計算した第１及び第２時間間隔の持続時間が、前記それぞれの移動局のアクセス要求メッセージ（ＲＡＣＨ）の持続時間、及び前記要求メッセージを発行するための遅延に共に依存することを特徴とするアクセス・チャンネル・スケジューリング方法。
【請求項２】
前記ネットワークが、適切なシステム情報を、前記移動局に向けて広報チャンネル（ＢＣＨ）内に送信し、前記システム情報が、次のパラメータ：
前記移動局が自局の署名バースト（ＳＹＮＣ１）を送信しなければならない時間間隔である前記第１時間間隔の値、
前記確認応答メッセージの到着の待機を中止すべき時間間隔である前記第２時間間隔の値、
前記アクセス要求メッセージ（ＲＡＣＨ）を発行するための前記遅延の値、
前記アクセス要求メッセージ（ＲＡＣＨ）の持続時間
の全部または一部を含み、
前記移動局が、前記システム情報を受信して自局のアクセス・パラメータを復号化して、前記自局のアクセス・パラメータの計算を回避または簡略化することを特徴とする請求項１に記載のアクセス・チャンネル・スケジューリング方法。
【請求項３】
前記ＣＤＭＡシステムがさらにＴＤＭＡ技術を利用し、ＴＤＭＡ技術によって、搬送波を前記移動局に順に割り当てて、前記移動局が、基本サブフレーム中に挿入した固定持続時間の時間スロットを作成する拡散スペクトル変調、及びその逆の動作を完結させて、前記基本サブフレームは、無制限の反復により複数のフレームを構成して、多レベルのプロトコルにおけるトラフィックまたは交換信号伝送のいずれかを担う論理チャンネルを搬送する物理チャンネルに埋め込んだマルチフレームが、規格化した動作モードに準拠して、前記システムが、特定のパイロット時間スロット（ＤｗＰＴＳ、ＵｐＰＴＳ）中に挿入した適切な同期バーストによる前記移動体の同期手順を採用して、同期した前記移動局は、自局の署名バースト（ＳＹＮＣ１）及び該署名バーストを搬送するアップリンク・パイロット時間スロット（ＵｐＰＴＳ）を知って、さらに、前記署名バースト（ＳＹＮＣ１）と、前記ネットワークからの前記確認応答メッセージを搬送する前記第２構成の物理チャンネル（ＰＦＡＣＨ）との関連性、及び前記第２構成の物理チャンネルと前記第３物理チャンネル（ＰＲＡＣＨ）との関連性を知って、１つのサブフレームまたはその整数倍の持続時間を有する前記アクセス要求メッセージを送信することを特徴とする請求項１または２に記載のアクセス・チャンネル・スケジューリング方法。
【請求項４】
前記アクセス・パラメータに、次の割当て：
アクセスメッセージ（ＲＡＣＨ）長をＬとし、サブフレーム数、あるいはビット数の相対値で表わす。
移動局が、前記署名（ＳＹＮＣ１）を送信してから前記ネットワークの確認応答を待機する最大待機時間をＷＴとし、サブフレーム数で表わす。
署名（ＳＹＮＣ１）を送信する最大頻度を、連続する２つの署名間のサブフレーム数Ｍで表わす。
前記署名の確認応答の後にアクセス・メッセージ（ＲＡＣＨ）の送信を開始する最大頻度を、サブフレーム数Ｎで表わし、Ｎは０より大きい整数とし、Ｎ個のサブフレーム毎に、新たなアクセスメッセージを送信できるものとする。
を仮定すれば、
前記パラメータの値が、次の数学的関係：
前記ネットワークが、署名（ＳＹＮＣ１）を検出した１サブフレーム後に確認応答をすることができる、という条件下で
Ｌ×ＷＴ＝Ｍ          ［１］
前記最大待機時間ＷＴは、次式の値の範囲内に設定しなければならない。
０＜ＷＴ≦［１／（Ｌ−１）］＋１−（Ｌ−Ｎ）−（Ｌ−Ｍ）          ［２］
ここに、［］は［］内の値を整数化したものを表わす（ガウス記号）。
ＷＴが負の値または０になった場合には、他のパラメータＬ、Ｎ、Ｍのうちの少なくとも１つの選択した設定値を変更して、前記ネットワークの確認応答の取得を可能にする。
を満たすことを特徴とする請求項３に記載のアクセス・チャンネル・スケジューリング方法。
【請求項５】
追加的なステップとして、
Ｄを、ネットワークが検出した署名に対して確認応答をするまでの固定遅延に等しいサブフレーム数として定義するステップと、
ＷＴｕを、前記待機時間ＷＴの更新値として定義するステップと、
前記［１］式及び［２］式を適用することによって、関連するすべてのアクセス・パラメータ値を決定するステップと、
次式：
ＷＴｕ＝ＷＴ＋Ｄ−１          ［３］
の計算を実行するステップと、
次式：
ＷＴｕ≦Ｌ          ［４］
の比較を実行するステップと、
条件［４］が真であれば、ＷＴｕを新たなＷＴとして採用するステップと、
条件［４］が偽であれば、ＷＴを確定するステップと
を具えていることを特徴とする請求項４に記載のアクセス・チャンネル・スケジューリング方法。
【請求項６】
前記ネットワークが規格化された追加的な動作モードをサポートすることができ、この動作モードが、アクセスを完了した後に、同じサブフレーム、フレーム、及びマルチフレームを共用する多数組の移動局として動作するモードであり、前記ネットワークが、前記動作モード毎に割り当てた論理チャンネル（ＢＣＨ）を通してシステム情報を広報して、前記追加的な移動局の各組が、自分の組のシステム情報を受信して前記アクセス・パラメータ値を復号化するための適切なチャンネル（ＢＣＨ）を選択することを特徴とする請求項１〜５のいずれかに記載のアクセス・チャンネル・スケジューリング方法。
【発明の詳細な説明】
【０００１】
（発明の分野）
本発明は、第３世代（３Ｇ）のセルラシステムの分野に関するものであり、特にセルラＴＤＭＡ−ＣＤＭＡネットワークにおける無衝突アクセス・スケジューリングに関するものである。
【０００２】
（背景技術）
上記技術分野において持ち上がる問題は、将来のＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ：欧州次世代移動体通信システム）第３世代セルラシステムへの移行をどのように行うか、ということである。こうしたシステムが既存のシステムに取って代わるのに要する期間は、楽観的に見て２、３年である。その間に製造業者は、既存の基盤（インフラストラクチャ）を置き去りにしないで将来のシステムの技術的特徴を見据えることのできる混成的な解決法を探索している。本願の出願人は、ＴＤ−ＳＣＤＭＡ（Ｔｉｍｅ Ｄｉｖｉｓｉｏｎ − Ｓｙｎｃｈｒｏｎｏｕｓ Ｃｏｄｅ Ｄｉｖｉｓｉｏｎ Ｍｕｌｔｉｐｌｅ Ａｃｃｅｓｓ：時分割−同期符号分割多重アクセス）と称する無線アクセス技術を利用するセルラシステムのＣＡＴＴ（中国電信科学技術研究院）との共同開発に関係してきた。この技術は、２つの規格のために用いられるものと予見されている。その一方は、中国の標準化機構ＣＷＴＳ（Ｃｈｉｎｅｓｅ Ｗｉｒｅｌｅｓｓ Ｔｅｌｅｃｏｍｍｕｎｉｃａｔｉｏｎ ）によって指定され、他方は、低チップレートＴＤＤ（Ｔｉｍｅ Ｄｉｖｉｓｉｏｎ Ｄｕｐｌｅｘｉｎｇ：時分割多重）のオプション、あるいは１．２８ＭｃｐｓのＴＤＤとして表記されている３ＧＰＰ規格である。ＣＷＴＳによって指定されているシステムはＧＳＭ（Ｇｌｏｂａｌ Ｓｙｓｔｅｍ ｆｏｒ Ｍｏｂｉｌｅ ｃｏｍｍｕｎｉｃａｔｉｏｎｓ：欧州から世界に広がったディジタル移動電話方式）のプロトコル・スタック（集大成）にもとづくものであり、そしてＧＳＭではＴＤ−ＳＣＤＭＡ＆ＧＳＭと称され、ＴＳＭという名の仕様に記載されている。これに対し３ＧＰＰ規格は、ＵＴＲＡＮ（ＵＴＭＳ Ｔｅｒｒｅｓｔｒｉａｌ Ｒａｄｉｏ Ａｃｃｅｓｓ Ｎｅｔｗｏｒｋ：３ＧＰＰが規定する移動体通信網、ＵＴＭＳ：Ｕｎｉｖｅｒｓａｌ Ｔｒａｆｆｉｃ Ｍａｎａｇｅｍｅｎｔ Ｓｙｓｔｅｍ：新交通管理システム）の概念にもとづくものであり、そしてＵＴＲＡＮではＴＤ−ＳＣＤＭＡ＆ＵＴＲＡＮと称する。ＴＤ−ＳＣＤＭＡ＆ＧＳＭ製品とＴＤ−ＳＣＤＭＡ＆ＵＴＲＡＮ製品との間の円滑な移行が保証されなければならず、即ち、ある程度の移行期間中に、ＴＤ−ＳＣＤＭＡ＆ＧＳＭ端末を後にＴＤ−ＳＣＤＭＡ＆ＵＴＲＡＮシステムで使用できるようにしなければならない。早期の段階には、ＴＤ−ＳＣＤＭＡ＆ＧＳＭのようなシステムを２Ｇ（第２世代）のコア・ネットワークに接続することになる。（ＣＷＴＳによって規格化された）ＴＤ−ＳＣＤＭＡ＆ＧＳＭ及び（３ＧＰＰによって規格化された）ＴＤ−ＳＣＤＭＡ＆ＵＴＲＡＮの物理層は同じものになる。ＴＤ−ＳＣＤＭＡ＆ＧＳＭ規格用の製品は、ＴＤ−ＳＣＤＭＡ＆ＵＴＲＡＮ規格用の製品よりも早く市場に出るものと見られている。ＴＤ−ＳＣＤＭＡ＆ＵＴＲＡＮ規格用の製品の方がずっと後に入手可能になる。さらに将来的には、ＴＤ−ＳＣＤＭＡ＆ＵＴＲＡＮ製品が使用されるものと見られている。両システムが同じ周波数スペクトル上に共存する必要のある移行期間が存在することになる。ＴＤ−ＳＣＤＭＡ＆ＧＳＭからＴＤ−ＳＣＤＭＡ＆ＵＴＲＡＮへの円滑な移行を可能にするためには、少なくともある程���の期間は、ＴＤ−ＳＣＤＭＡ＆ＧＳＭ端末をＴＤ−ＳＣＤＭＡ＆ＵＴＲＡＮシステムで使用可能にしなければならない。
【０００３】
こうした円滑な移行の問題は、２つの規格間にある程度の整合性をもたせる必要性をもたらす。
【０００４】
図１に、ＴＳＭ規格と３ＧＰＰ規格に共通の、物理的なＴＤＭＡ−ＴＤＤ基本フレームを示す。このフレームは、後に説明する他の３つの特別な時間スロットに加えて、７つの時間間隔または時間スロットが連続する構成を有する。セル内で使用中の搬送波（キャリア）のうちで一般的な搬送波を使用するために、基本フレームを無制限に反復する。図１の基本フレームは、移動局（ＭＳ：Ｍｏｂｉｌｅ Ｓｔａｔｉｏｎ）またはユーザ装置（ＵＥ：Ｕｓｅｒ Ｅｑｕｉｐｍｅｎｔ）から来るｍ個の時間スロットＵＬ＃０， ．．． ，ＵＬ＃ｍ（アップリンク）、及び基地局（ＢＴＳＣ）から来るｎ個の時間スロットＤＬ＃０， ．．． ，ＤＬ＃ｍ（ダウンリンク）を含み、ここではＴＤＤ型の全二重が実現されている。
【０００５】
図１のＴＤＭＡ−ＴＤＤ基本フレームにＣＤＭＡの能力を追加することによって、結果的に生じる、搬送波、この搬送波を利用した時間スロット、及び拡散符号（コード）の組が、無線インタフェースの物理チャンネルを形成し、このチャンネルは、論理の観点からチャンネルを特徴付ける情報をサポート（支援）するために予約されている。図には示していないが、ＴＳＭ及び３ＧＰＰシステムで使用するすべての搬送波において観測されるより階層的なレベルには、連続的なフレームが構成される。例えば、信号化の機会としては、図１の基本フレームが２つ連続するものを、２倍の持続時間を有する新たなフレームの２つのサブフレームと考えることが可能であり、この新たなフレームは、７２０ｍｓの合計持続時間を有する７２個の新たなフレームから成るマルチ（多）フレームに属する。
【０００６】
１つのＢＴＳＣが送信する複数の搬送波が、互いに同期したフレームを搬送して、これにより、隣接するセル間の同期を簡略化する。本発明では、限界を設定することなく、異なるクラスタのすべてのセル間の一般的なフレーム同期を行うことが好都合である。図１を左から右に見ていけば、基本フレームが、他の３つの特別な時間スロットに加えて、各スロットが０．６７５ｍｓの持続時間を有するｎ＋ｍ＝７個の有効な時間スロットを含み、これらの特別なスロットは順に、持続時間７５μｓのＤｗＰＴＳ時間スロット（ダウンリンクのパイロット時間スロット）、７５μｓのガード時間ＧＰ、及び持続時間１２５μｓのＵｐＰＴＳ時間スロット（アップリンク時間スロット）である。基本フレームの合計持続時間は５ｍｓである。基本フレーム内では、ガード期間ＧＰがＤＬ／ＵＬの切換点（スイッチング・ポイント）を表わす。ガード期間ＧＰは、アップリンク送信とダウンリンク送信との間の干渉を回避するため、並びに移動局が最初の信号をＵｐＰＣＨチャンネル上に送信する際の、移動局と基地局との間の伝播遅延を吸収するために使用し、この段階では、伝播遅延は実際には未知である。ガード期間ＧＰの直前には特別なＤｗＰＴＳ時間スロットが存在し、ガード期間ＧＰの直後にはＵｐＰＴＳ時間スロットが存在し、両者は拡散符号の影響を受けない同期バーストを含む。残りの時間スロットは、同じ構造であるが拡散符号の影響を受けるバーストを含み、これらのバーストはトラフィックあるいは信号化のためにとってある。図２に、基本フレームが取り得る構成を示し、この基本フレームは高い対称性を有し、そして特に、ＵｐＰＴＳを始点として、Ｔｓ０、Ｔｓ１及びＴｓ２の順に示す３つのアップリンク時間スロットがこれに続き、そしてＴｓ３、Ｔｓ４、Ｔｓ５及びＴｓ６の順に示す４つのダウンリンク時間スロットが続き、最後にＤｗＰＴＳ及びガード時間ＧＰが続く。時間スロットＴｓ２とＴｓ３の間にＵＬ／ＤＬの切換点が存在する。図２では、異なる有効な時間スロットの持続時間を、持続時間０．７８１２５μｓのチップと称する測定単位によって表現し、これはチップレート＝１．２８Ｍｃｐｓの反復に等しく、ＣＤＭＡ技術による拡散スペクトルを実行するために有効な時間スロット内で使用する一組のＮ個の符号列の共通周波数に相当する。図３に、アップリンク・パイロット時間スロットＵｐＰＴＳが１２８チップのＳＹＮＣ１シーケンス（列）を含み、３２チップのガード期間ＧＰがこれに続く様子を示す。図４に、ダウンリンク・パイロット時間スロットＤｗＰＴＳが３２チップのガード期間ＧＰを含み、６４チップのＳＹＮＣシーケンスがこれに続く様子を示す。最後に、図５に、有効な時間スロットＴｓ０， ．．． ，Ｔｓ６が、３５２チップの等しい長さを有する２つのデータ用のフィールドを含み、それぞれの後または前に１４４チップのミッドアンブル（中文）が置かれ、末尾に１６チップのガード期間ＧＰが付いて合計８６４チップになる様子を示す。図５に示す２つのフィールドの各々を、事前設定した数の符号列によって変調して、この数に等しい数の無線チャンネルを拡散スペクトルの帯域内に生成して、個々の無線チャンネルは帯域全体を占有して、同数のい��ゆるリソースユニットＲＵ（Ｒｅｓｏｕｒｃｅ Ｕｎｉｔ）を表わし、リソースユニットＲＵはサービス及び信号化の処理時に設けられる。後に説明する目的のために、前記ミッドアンブルは、ＢＴＳＣ局及び移動局が使用する学習シーケンスを含んで、生成された無線チャンネルの数のインパルス応答を評価する。図５の主バーストに関しては、次式：
Ｔｓｋ＝Ｑｋ×Ｔｃ
の関係が成り立ち、ここに、Ｑｋは拡散係数ＳＦ（Ｓｐｒｅａｄｉｎｇ Ｆａｃｔｏｒ）であり、１、２、４、８、及び１６の中から自由に選択することができ、これは前記の数Ｎに相当し、Ｔｓは送信するシンボル（記号）の持続時間であり、そしてＴｃはチップの固定持続時間である。上式の関係より、拡散係数を増加させれば送信するシンボルの持続時間も増加し、換言すれば、主バーストに関連する物理チャンネル数は増加するが、チャンネルに許容される送信速度は低下する。
【０００７】
図６に、図１の５ｍｓの基本フレームに属する有効なスロットの各々に関連する１６個の新たなチャンネルを生成するための拡散係数１６の効果を示す。広報（ブロードキャスト）システムの情報には、論理チャンネルと頭文字Ｐを付けた物理チャンネルとの関連性の経過を含ませる。図で考慮する制御チャンネルは、ＣＣＨｓｅｔ（Ｃｏｎｔｒｏｌ ＣＨａｎｎｅｌ Ｓｅｔ：制御チャンネル組）と称する割付けの組を表わす。ＴＳＭ及び３ＧＰＰシステム内には、２つ以上のＣＣＨｓｅｔを構成することができる。図６に、基本フレーム内のＣＣＨｓｅｔ及びＰ−ＦＡＣＨチャンネルの可能なレイアウト（配置）を示す。
【０００８】
互いに異なるＴＳＭ及び３ＧＰＰの移動体に指向したＢＣＨチャンネル（Ｂｒｏａｄｃａｓｔ ＣＨａｎｎｅｌ：広報チャンネル）をネットワークが「透明的」に使用することに対比して、上記の可能性は、Ｓｉｅｍｅｎｓ Ｉｎｆｏｒｍａｔｉｏｎ ａｎｄ Ｃｏｍｍｕｎｉｃａｔｉｏｎ Ｎｅｔｗｏｒｋ Ｓ．ｐ．Ａ．とＳｉｅｍｅｎｓ Ａｋｔｉｅｎｇｅｓｅｌｌｓｃｈａｆｔの共同名義による出願の、欧州特許出願第００８３０５５２．６号に記載されている。その請求項に記載の解決法は、現在のフレームの内容を信号化するために、受信したＤｗＰＴＳ（ダウンリンク・パイロット時間スロット）のＱＰＳＫ変調（Ｑｕａｄｒａｔｉｃ Ｐｈａｓｅ Ｓｈｉｆｔ Ｋｅｙｉｎｇ：４相位相シフト変調）を利用するものである。４５°、１３５°、２２５°及び３１５°の位相の組み合わせを用いて、ＢＣＨの位置、及び固定の位相基準に対するインターリーブのフレーム数を示す。換言すれば、ＴＳＭ及び３ＧＰＰのような２つの規格のＢＣＨチャンネルを、物理チャンネルＰ−ＣＣＰＣＨ（Ｐｒｉｍａｒｙ Ｃｏｍｍｏｎ Ｃｏｎｔｒｏｌ Ｐｈｙｓｉｃａｌ Ｃｈａｎｎｅｌ：主共通制御物理チャンネル）上に時間多重して、２種類のＵＥ（Ｕｓｅｒ Ｅｑｕｉｐｍｅｎｔ：ユーザ装置）が独立して、適正なＢＣＨを多重分離することができる。この利点は、２つの規格に影響を与えることなしに、同じ周波数帯を使用する２つの異なる移動体システムが共存することによるものである。
【０００９】
ＢＣＨチャンネルの「透明的」な使用に結び付く本発明の解決法は、これらのチャンネルがセルについての情報を搬送して、その後の動作がこの情報に完全に依存するので、疑いもなく重要である。本願出願人の研究所で行っている研究開発は、３ＧＰＰシステムにおけるＢＣＨチャンネルを広く利用することを可能にした。結果的には、２つの規格間の整合性に関する限りでは、他の手順を考えなければならない。例えば、移動体がネットワークにアクセスした際にのみ、移動体の出所、従って移動体がサポートされているＴＳＭまたは３ＧＰＰモードを、ネットワークが知ることができる、ということを考慮に入れれば、少なくともネットワーク側では、その時点より前に交換されたすべての手順及びメッセージを同じままに保つべきである、ということは明らかである。これらの手順のうちの１つは、ランダムアクセス手順、あるいはＲＡＣＨ手順と称され、移動体が座標を交換するメッセージによってシステムにアクセスすることを可能にする。ＲＡＣＨ手順は、移動体からネットワークへの２つの異なるアクセスに関連する２つのステップで実質的に完了する。第１のステップは、署名あるいはＳＹＮＣ１バーストを移動局からランダムに送信して、単一のバースト・メッセージによる回答をネットワークから受信して、このメッセージは、移動体において次にメッセージを送信するタイミング及びパワーレベルの適正な設定を可能にする。このメッセージは、ＴＤ−ＳＣＤＭＡ＆ＵＴＲＡＮ仕様ではＦＰＡＣＨ（Ｆａｓｔ Ｐｈｙｓｉｃａｌ Ａｃｃｅｓｓ ＣＨａｎｎｅｌ：高速アクセス物理チャンネル）、ＴＤ−ＳＣＤＭＡ＆ＧＳＭ仕様ではＰＦＡＣＨ（Ｐｈｙｓｉｃａｌ Ｆｏｒｗａｒｄ Ａｃｃｅｓｓ ＣＨａｎｎｅｌ：転送アクセス物理チャンネル）と称する。ＲＡＣＨ手順の第２ステップ中には、移動体がＲＡＣＨメッセージをネットワークに送信して、ネットワークのサービスにアクセスする（例えばチャンネルを要求する）目的で、移動体の出所を知らせる。
【００１０】
３ＧＰＰのようなＴＤＭＡ−ＳＣＤＭＡ−ＴＤＤセルラシステムに関連するＲＡＣＨ手順の両ステップにおいて、出願人は、ＢＣＨチャンネル内に広報されるシステム情報を利用する機会を概要とする他の特許出願を行っている。第１ステップに関する関連議論は、国際特許出願ＰＣＴ／ＩＴ００／００１０１に開示されている。
【００１１】
開示されているアクセスチャンネル・スケジューリングの請求項１の特徴部分には、次のステップが記載されている。
ａ）  移動局が行う適切なアクセス・パラメータ（Ｐ１，Ｐ２，Ｐ３）の読出し。これらのパラメータは、ネットワークが、上述したサービスチャンネル（ＢＣＣＨ）によって搬送されるシステム情報中に挿入するか、あるいは、少なくともネットワークへのアクセスを要求している移動局に対して、ネットワークが専用チャンネル（ＴＣＨ，ＳＡＣＣＨ，ＦＡＣＣＨ）を割当てる手順の開始時に、ネットワークが送信するメッセージ中に挿入する。
ｂ）  移動局が、前記共用アクセスチャンネル（ＵｐＰＣＨ）の共用アクセスサブチャンネル（ＵｐＰＣＨＳＵＢＣＨ）を生成すること、及び前記アクセス・パラメータ（Ｐ１，Ｐ２，Ｐ３）を使用することによって、各サブチャンネルをアクセスの類型に関連付けること。
ｃ）  前記識別シーケンス（ＳＹＮＣ１）または署名シーケンスの一方を、前記共用アクセスサブチャンネル（ＵｐＰＣＨＳＵＢＣＨ）上に送信すること。
【００１２】
ステップｂ）に記載の共用アクセスサブチャンネルは明らかに、アップリンク・パイロット時間スロットＵｐＰＴＳである。スケジューリング・プロセス（過程）は少なくとも２つの広報アクセス・パラメータＰ１及びＰ２を必要とし、これらのパラメータは、移動局が次の公式：
（ＳＦＮ ｍｏｄ ［Ｐ１］）＝Ｐ２
中に導入し、移動局はこの公式を計算して、システムフレーム番号ＳＦＮで番号付けしたフレームに、前記サブチャンネル（ＵｐＰＣＨＳＵＢＣＨ）のうちの１つに属するものとして目印を付ける。異なるアクセスの類型に専用のサブチャンネルを導入することによって、移動局の共用チャンネル上におけるアクセスを調整する能力をＣＤＭＡシステムに与える。これにより、例えば発呼時、呼びの終了時、非同期のセル間ハンドオーバ（通信中のセル切換え）時、等のような、システムにおいて予見されるすべてのモードについて、ネットワークに対する接続要求のピーク時にアップリンク径路（パス）が輻輳する恐れが軽減される。
【００１３】
ＲＡＣＨ手順の第１及び第２ステップの両方に関する限り、Ｓｉｅｍｅｎｓ ＡＧ名義のドイツ国特許出願第１００ ０８ ６５３．５号は、ＢＣＨチャンネルから搬送されるシステム情報中に、次の３つのチャンネルＳＹＮＣ１−ＦＰＡＣＨ−ＰＲＡＣＨの関連性を挿入する機会の概要を記載している。同様の関連性は、移動体からのシステム情報の体系的な読出しによる信号化の遅延を防止して、先行するＳＹＮＣ１に対するネットワークの回答用、チャンネル要求に対するネットワークの回答用のそれぞれの適正なチャンネルを知ることができる。特に、どのＰＲＡＣＨが構成されているかを知って、これにより移動体が、他の移動体との（通信上の）衝突なしにランダムアクセス手順を実行することができる。
【００１４】
（技術的課題の概要）
従来技術を紹介するために、ランダムアクセス手順を一般的なレベルで規定してきたが、ネットワークにアクセスする際には、より詳細な情報によって、前記２つのモード、即ちＴＳＭ及び３ＧＰＰの相違をより良く示す必要がある。ＴＳＭ規格については、ランダムアクセス手順は次のステップをたどる。
１．  ネットワークが広報チャンネル（ＢＣＨ）上に、他のシステム情報に加えて、次のものも送信する。
構成されたＰＦＡＣＨ、これは物理チャンネルであり、ネットワークはこのチャンネルから、検出した署名に対する確認応答（アクノレッジメント）を送信する。
構成されたＰＲＡＣＨ、これは物理チャンネルであり、移動体は、先にＦＰＡＣＨから送信した署名に対する確認応答を検出した後に、自分のサービス要求を（ＲＡＣＨメッセージによって）このチャンネル上に送信しなければならない。
どの署名が、どのＦＰＡＣＨによって確認応答されるか、ということと、どのＦＰＡＣＨによって受信した確認応答用に、どのＰＲＡＣＨを使用すべきか、ということとの関連性。この関連性は、移動局における受信及び送信の最適化を可能にして、ＰＲＡＣＨ上での衝突を回避する。
２．  移動体が署名をＵｐＰＣＨ物理チャンネル上に送信して、これらの署名は、既知の値のチップ列によって与えられ、８つまでの異なる列が割り当てられる。移動体は、どの列がセル内で使用中であるか、という情報を、同期プロセスを通して取得する（詳しくはＴＳＭ及び３ＧＰＰを参照）。
３．  従って移動体は、サポートされている署名の中から１つを選択して、次の４つのサブフレーム（５ｍｓ）分だけ、関連するＦＰＡＣＨからの確認応答を待機して、構成されたＦＰＡＣＨによって受信した確認応答を検出する。
４．  移動体は、自分のＲＡＣＨを、ＰＦＡＣＨに関連するＰＲＡＣＨ上に単一バースト（即ち５ｍｓ）で送信する。
【００１５】
またＴＤ−ＳＣＤＭＡ ３ＧＰＰ規格については、ネットワークが、構成されたＰＲＡＣＨ及びＰＦＡＣＨ（ＦＰＡＣＨと称する）、及びこれらの関連性をＢＣＨ上に広報して、移動体は、ＵｐＰＣＨ物理チャンネル上の署名を選択することによってランダムアクセス手順を開始して、確認応答を待機し、そして関連するＰＲＡＣＨ（即ち、確認応答を受信したＰＦＡＣＨに関連するＰＲＡＣＨ）上にＲＡＣＨメッセージを送信する。ＴＳＭ及び３ＧＰＰの両者について、ＵｐＰＣＨメッセージとＰＦＡＣＨメッセージとは全く同一に規定される。
【００１６】
ＴＳＭモードと３ＧＰＰモードの相違
ＴＳＭモードと３ＧＰＰモードの大きな相違は、ランダムアクセス手順に関する限りでは、ＲＡＣＨメッセージの容量の期待値である。両モードにおいて、ＲＡＣＨメッセージは、移動体からの、ネットワークサービスへのアクセス要求を含み、移動体はこのメッセージを通して、自分の出所、及び自分にサポートされているモードを、アクセスしたシステムに対して宣言する。
【００１７】
ＴＳＭモードについては、メッセージは３２ビットを必要とするに過ぎず、３ＧＰＰモードについては、１６０ビットの平均ペイロードが必要であるものと見らるが、より大きい容量も可能である。この違いから、ＴＳＭ ＲＡＣＨメッセージは単一バーストで搬送可能であり、このバーストが、１つの無線サブフレーム＝５ｍｓの際に拡散係数（ＳＦ：Ｓｃａｌｉｎｇ Ｆａｃｔｏｒ）１６の単一のリソースユニットに合致する場合には、３ＧＰＰモードの１６０ビットのメッセージについては、各々がＳＦ＝１６の２つの基本リソースユニットか、あるいは１０ｍｓにわたるＳＦ＝８の２つの無線サブフレームが必要となり得る、ということになる。もちろん異なる組み合わせも可能であり、ここではＳＦが異なるか、または持続時間値が異なるか、あるいは両方のパラメータが異なる。
【００１８】
デュアル（二重）モード・セルが、一組の署名のみ、及び１つのＵｐＰＣＨチャンネルのみを有する、ということを考慮に入れれば、アクセス中の移動体のすべてが、そのモードにかかわらず、同じ署名を同じ物理チャンネル（ＵｐＰＣＨ）上に送信し、このため、デュアルモードの基地局はこの時点では、送信中の移動体のモードを知らず、従って、同じＦＰＡＣＨ確認応答メッセージ（即ち同一の内容及び大きさを有するメッセージ）で回答しなければならない、ということになる。
【００１９】
ここで、ＴＳＭモードの１つの大きな利点は、ＰＲＡＣＨチャンネルについては無衝突の状態にある、ということを考慮しなければならず、移動体が自分のＲＡＣＨメッセージを送信するためにＰＲＡＣＨにアクセスする際には、他の移動体は同時にこのチャンネル上に送信すべきではない。（もちろん、両方の側、即ち移動局及び固定局の双方における誤検出による誤送信はあり得る。）ＴＳＭモードでは、ＲＡＣＨメッセージは１つのサブフレームを占めるに過ぎない。
【００２０】
ＴＳＭモードにおけるＲＡＣＨ手順の詳細な記述は、関連の公開仕様（ＣＷＴＳ ＴＳＭ技術仕様）の一部にある。解決すべき技術課題の開示にとって有用な短い要約として、ＴＳＭ ＲＡＣＨ手順の基本点を以下に報告する。
１．  ＲＡＣＨメッセージは、１サブフレーム（例えば５ｍｓ）を要する。
２．  ＲＡＣＨメッセージは、ネットワークからの確認応答として送信されたＰＦＡＣＨバーストを搬送するサブフレームのちょうど２サブフレーム後に送信する。
３．  署名の送信は、あらゆるサブフレームにおいて可能である。
４．  検出した署名に対する確認応答の送信は、あらゆるサブフレームにおいて可能である。
５．  移動体は、送信した署名を搬送するサブフレームの４Ｎサブフレーム後まで、確認応答を待機する。
【００２１】
次に、上述したメッセージ交換についての、サブフレームの占有状況の例を報告する。図７に、ＴＳＭモードにおけるＲＡＣＨ手順についてのサブフレームの占有状況を示し、これ以降のすべての図についても、異なるユーザ（１、２、等）が異なる署名に対応し、ネットワークは、署名を検出したフレームのちょうど次のフレームで、検出した署名に対して回答するものとするが、もちろん、確認応答の供与における処理遅延はあり得る。この例に見られるように、ＲＡＣＨメッセージを送信する際に衝突が発生することがない。なお、ユーザ５は、予期した時間内、即ち４サブフレーム以内にネットワークによる確認応答をされていないので、システムにはアクセスしない。
【００２２】
ここでは、ＲＡＣＨ手順について３ＧＰＰ規格の下で説明を行っているが、３ＧＰＰ規格では、ＲＡＣＨメッセージはＴＳＭに対してより大きいサイズを有して、さらに２つまたは４つのサブフレームが必要となり得る、ということは非常に確かなことである。
【００２３】
本発明の目的は、３ＧＰＰモードにおいても、ＲＡＣＨ上において無衝突であるという利点を保ち、同時に、デュアルモード・ネットワークが２モードの移動体を取り扱うことができるようにしておく、ということにある。従って、設計者は署名の検出に対するネットワークの挙動、及び確認応答メッセージの内容を変化させることなしに、ＲＡＣＨメッセージの持続時間を、所定の物理チャンネルＰＲＡＣＨ上のサブフレーム数として考慮に入れる必要がある。このことは、３ＧＰＰのＦＰＡＣＨ確認応答のバーストを、ＴＳＭ用のＰＦＡＣＨと同様の方法で符号化して送信すべきである、ということを暗に意味する。
【００２４】
以下の文章を読み易くするために、次の定義を導入する。
ＳＦＮ：ネットワークが広報するシステム・サブフレーム数を示す。
Ｌ：ＲＡＣＨメッセージ長をサブフレーム数で表わす。
ＷＴ：移動体がネットワークの確認応答を待機する最大待機時間をサブフレーム数で表わす。
Ｍ：署名ＳＹＮＣ１を送信する最大頻度をサブフレーム数で表わし、（ＳＦＮ ｍｏｄ Ｍ）＝０（最終的にはこの式は０より大きい整数になるが、このことは考慮しない）となる毎に署名を送信できるようにする。
Ｎ：ＲＡＣＨメッセージの送信を開始する最大頻度をサブフレーム数で表わし、（ＳＦＮ ｍｏｄ Ｎ）＝０（最終的にはこの式は０より大きい整数になるが、このことも無視する）となる毎に新たなＲＡＣＨメッセージを送信できるようにする。
【００２５】
３ＧＰＰモードについては次の構成を取り、この構成は図１のＴＳＭパラメータを最も良く再現する。
１．Ｌ＝２（ＴＳＭとは異なる）
２．Ｎ＝２（ＴＳＭと同様）
３．Ｍ＝１（ＴＳＭと同様）
４．ＷＴ＝４（ＴＳＭと同様）
５．あらゆるサブフレームにおいて、検出した署名に対して確認応答を送信することが可能である（ＴＳＭと同様）
【００２６】
なお、デュアルモード・ネットワークの概念を可能にするために、ＴＳＭと同様に条件４を維持しなければならない。あるいは換言すれば、サポートするすべてのモードについて、ネットワークが検出した署名に対して、全く同じメッセージで、かつ全く同じタイミング制約条件の下で回答しなければならない。これらの仮定により、図８に示す例のように、ＰＲＡＣＨ上での衝突は不可避であり、この例は、上述の３ＧＰＰモードに関係する構成についてのサブフレームの占有状況の例であり、ここでは、ユーザ２とユーザ３の衝突に灰色を付けて示す。従って、上記の仮定の一部は変更しなければならない。
【００２７】
ＷＴの値を４から２に変更して他の条件は変更しなければ、図９の状況を得ることができ、これは３ＧＰＰモードにおける構成２についてのサブフレーム占有状況の例であり、この例でも衝突が発生する可能性があり、ユーザ４とユーザ５の衝突に灰色を付けて示す。なおユーザ３はアクセスしない、というのは、確認応答が来るのが遅過ぎるからである。
【００２８】
３ＧＰＰモードにおける構成２に対してＭの値を１から２に変更すれば、図１０の条件が得られ、これは３ＧＰＰモードにおける構成３についてのサブフレーム占有状況の例である。ここでも、ユーザ４とユーザ５はＲＡＣＨメッセージを送信する際に衝突する。なおユーザ３はアクセスしない、というのは、確認応答が来るのが遅過ぎるからである。
【００２９】
最後の例では、構成３に対してＮの値を２から１に変更し、状況は図１１に示すようになり、これは３ＧＰＰモードにおける構成４についてのサブフレームの占有状況の例である。ここでも衝突は不可避であり、またユーザ３は、確認応答が来るのが遅過ぎるのでアクセスしない。
【００３０】
（発明の目的）
本発明の主目的は、署名の送信、及びこれに対する確認応答に関係するパラメータを適正に設定する規則を示して、これにより、例えばＴＤ−ＳＣＤＭＡ＆ＵＴＲＡＮまたは等価な３ＧＰＰモードと、ＴＤ−ＳＣＤＭＡ＆ＧＳＭまたは等価なＴＳＭモードのように、異なるモードの移動体が効率的な方法で、衝突なしに同一のマルチ（多）モード・ネットワークにアクセスして、マルチモード・ネットワークが、移動体の特定種類を前以て知る必要なしに、予期される方法で、異なるモードの移動体に対して回答できるようにすることにある。
【００３１】
本発明によって規定されるものと同じ規則は、シングル（単一）モードのネットワークにも同等に適用することができ、ここでは、サポートするモードの移動局が送信するＲＡＣＨメッセージは、可変サイズ（大きさ）のものであり得る。
【００３２】
（発明の概要）
前記の目的を達成するために、本発明の主題は、請求項１に開示したセルラ電話システムにおけるアクセス・スケジューリング方法にある。
【００３３】
（発明の利点）
本発明の第１の利点は、ＴＳＭモードとＴＳＭ以外のモードの移動体が同時にアクセスすることを可能にして、いかなるメッセージの持続時間であっても、両モードにおいてＲＡＣＨメッセージの衝突を回避するような、デュアルモードのＴＤ−ＳＣＤＭＡネットワークが構築可能になることである。
【００３４】
本発明の第２の利点は、ランダムアクセスのパラメータが動的に構成可能なことにあり、これらのパラメータは例えば、ＲＡＣＨメッセージの持続時間、署名の送信及び署名に対する確認応答の頻度、移動体が確認応答を待機する待機時間である。
【００３５】
（発明の実施例の詳細な説明）
本発明のこれら及び他の目的は、以下の図面を参照した複数の実施例の詳細な説明より明らかになる。
上述したすべての例の結論として、上述した定義のリストに記載した関連パラメータのすべてが互いに密接に関連するということ、及び、ＲＡＣＨ上の衝突を回避しなければならない場合には、これらの各パラメータの定義が他のパラメータに影響を与えて、他のパラメータに対して要求を課す、ということになる。
【００３６】
特にＲＡＣＨのメッセージ長を変更すれば、最大許容の待機時間も変更して他のパラメータは無変更のままにするべきであるか、あるいは、署名を送信する最大頻度を変更すれば、他のパラメータは変更せずにＲＡＣＨメッセージ長を変更しなければならない、等である。
【００３７】
関連パラメータの値を規定するために次の規則を提案し、これによりＲＡＣＨ上での衝突を回避することができる。
Ｌ×ＷＴ＝Ｍ          ［１］
【００３８】
［１］式は、Ｌ個のサブフレームにおいて測定したＲＡＣＨメッセージ長と、ＷＴ個のサブフレームにおいて測定した、送信された署名に対するネットワークの確認応答を待機する移動体側の最大待機時間と、Ｍ個のサブフレームにおいて測定した、署名を連続して送信する最小時間間隔との関係を表わすものである。例えば、最大待機時間を同じに保ったままでＲＡＣＨメッセージ長を倍増させるには、連続する２つの署名間の最小時間間隔を倍増させることが必要である、等である。
【００３９】
しかし、最大待機時間は次式の値の範囲内で設定しなければならない。
０＜ＷＴ≦［１／（Ｌ−１）］＋１−（Ｌ−Ｎ）−（Ｌ−Ｍ）          ［２］
ここに、［］は［］内の値を整数化したものを表わす（ガウス記号）。
【００４０】
ＷＴが負の値または０になった場合には、他のパラメータ（Ｌ、Ｎ、またはＭ）のうちの少なくとも１つの選択した設定値を変更しなければならないか、さもなければ移動体がアクセスに失敗する（即ち、移動体はネットワークの確認応答を得ることには決して成功しない）。（ＴＳＭについて）ＷＴが無限大になった場合には、このことは、あらゆるＷＴの値が可能であり、従ってあらゆるＭの値が可能であるが、ただしＷＴの好適な最大値は８であり、８はＴＳＭ及び３ＧＰＰ共に、ＴＤ−ＳＣＤＭＡセルに割当てられた最大署名数である。
【００４１】
［１］式は、ネットワークが署名を検出したわずか１サブフレーム後に確認応答することができる、ということを前提とし、そうでない場合には、そして実現上の理由で、（１サブフレーム程度の）固定値の処理遅延を考慮しなければならず、このことは、次のように考慮に入れる。
【００４２】
Ｄを前記固定遅延のフレーム数として定義し、ネットワークは検出した署名に対して、この遅延をおいて回答し、［１］式及び［２］式を適用することによって関連するパラメータをすべて決定した後に、ＷＴｕ（更新した待機時間）という新たなパラメータを、（得られたＷＴと得られた処理時間Ｄとの総計）−１として計算することができる。ＷＴｕが得られたＲＡＣＨメッセージ以下であれば、適用すべきＷＴはＷＴｕであり、さもなければ、得られたＷＴを確定しなければならない。
【００４３】
ここで例として、［１］式及び［２］式を前述した構成３に適用してみれば、式［１］は満足されず、従って３つのパラメータ値（Ｌ、Ｍ、またはＷＴ）のうちの１つを変更しなければならないことがわかる。Ｍを２から４に変更すれば、図１２に示す新たなシナリオとなり、これは３ＧＰＰにおける構成５のサブフレームの占有状況の例である。
【００４４】
この動作では、
１．  ＴＤＭＡ−ＣＤＭＡネットワークが、関連するＢＣＨ上に、次のパラメータ値またはその一部を広報（ブロードキャスト）するか、あるいは、移動局が、構成されたＰＲＡＣＨチャンネル毎に、これらのパラメータを知っているか、または導出可能である場合には、全く広報しない。
ＲＡＣＨメッセージ長Ｌ（サブフレーム数、またはビット数の相対値で表わす）
移動体が署名（ＳＹＮＣ１）の送信時にネットワークの確認応答を待機する最大待機時間（例えばサブフレーム数で表わす）
署名を送信する最大頻度（例えば連続する２つの署名間のサブフレーム数Ｍで表わす）
ＲＡＣＨメッセージが送信可能になる時点、例えばサブフレームＮ個毎に送信、ここにＮは０より大きい整数値、あるいは署名の確認応答からちょうどＫ個のサブフレーム経過後に送信、等。
２．  ネットワークがサポートする１つのモード（例えば３ＧＰＰ）で動作中の移動体は、指示された（／あるいは既知の）サブフレームにおいて、ネットワークがサポートする他のモード（例えばＴＳＭ）で動作中の移動体と同じＵｐＰＣＨ物理チャンネル上に同じ署名を送信することができる。
３．  ＴＤＭＡ−ＣＤＭＡセルは、アクセスして来る移動体が何のモードであっても、検出した署名に対して、同じ確認応答メッセージを同じタイミングの制約条件で送信して回答する。
４．  移動体は、指示された（／あるいは既知の）最大待機時間まで、署名の確認応答を待機して、期限時間内に受信すれば、ネットワークが指示する（既知の）サブフレームで始まり、かつネットワークが指示する（既知の）長さを有するＲＡＣＨメッセージを、（関連するＢＣＨ上に）指示されたＰＲＡＣＨ上に送信する。
【００４５】
アクセスチャンネルのスケジューリングへの拡張
本発明は、今まで説明してきた非限定的な実施例以外への拡張を施すことができる。特に、本発明の焦点は、前記２ステップのアクセス手順に置かれており、ここでは、割当てられたＰＲＡＣＨ物理チャンネル上のＲＡＣＨメッセージどうしの間に生じ得る衝突が、アクセス・パラメータを特定値に選択することによって回避されて、結果的に、異なるアクセス技術に準拠して構築したセルラシステムにおいても、本発明の教示を利用できる可能性が存在するが、これも同じ２ステップのアクセスが関係する。特に、本発明は次のシステムにも利用することができる。
広帯域（ワイドバンド）ＣＤＭＡセルラ・ネットワーク
全二重ＦＤＤ（Ｆｒｅｑｕｅｎｃｙ Ｄｉｖｉｓｉｏｎ Ｄｕｐｌｅｘｉｎｇ：周波数分割双方向多重）のＣＤＭＡセルラ・ネットワーク
ＴＤＭＡ−ＣＤＭＡ−ＦＤＤセルラ・ネットワーク
ＴＤＭＡ−ＣＤＭＡ−ＴＤＤセルラ・ネットワーク
ＴＤ−ＳＣＤＭＡ−ＴＤＤセルラ・ネットワーク
【００４６】
以上の説明では、本発明の主要な特徴を指摘して来ており、この特徴は、ＷＴ、Ｎ、Ｍのような算出されるアクセス・パラメータに関連する値がＲＡＣＨメッセージの長さに依存する、ということにある。本発明の説明に入る前には、長さＬは可変であることを想定し、それまでは明確に規定していなかった。このことは欠点ではないが、シングルモードのセルラシステムを実施する機会を力説するための良好なヒントであり、シングルモードでは、移動体が自分自身から、ＲＡＣＨメッセージの既知の異なる長さＬにもとづいてアクセス・パラメータを計算する。結果的な大きな利点は動作の自由度であり、アクセス・パラメータに関するＢＣＨ情報を復号化する必要がない。この特徴はマルチ（多）モード・ネットワークでも維持することができ、マルチモード・ネットワークでは、この特徴を利用しないモードに応答する移動体が、ＢＣＨ情報から、関連するアクセス・パラメータを有利に復号化することができる。
【図面の簡単な説明】
【図１】ＴＳＭ及び３ＧＰＰのセルラ電話システムに共通の、基本無線フレーム及びこれに含まれるバーストの表現を示す図である。
【図２】ＴＳＭ及び３ＧＰＰのセルラ電話システムに共通の、基本無線フレーム及びこれに含まれるバーストの表現を示す図である。
【図３】ＴＳＭ及び３ＧＰＰのセルラ電話システムに共通の、基本無線フレーム及びこれに含まれるバーストの表現を示す図である。
【図４】ＴＳＭ及び３ＧＰＰのセルラ電話システムに共通の、基本無線フレーム及びこれに含まれるバーストの表現を示す図である。
【図５】ＴＳＭ及び３ＧＰＰのセルラ電話システムに共通の、基本無線フレーム及びこれに含まれるバーストの表現を示す図である。
【図６】図１の基本フレームに関連する物理及び論理チャンネルの表現を示す図である。
【図７】ＴＳＭモードにおけるＲＡＣＨバーストのサブフレーム占有状況を示す表である。
【図８】本発明の方法によらない、３ＧＰＰモードにおける１つの構成についての、ＲＡＣＨバーストのサブフレーム占有状況を示す表である。
【図９】本発明の方法によらない、３ＧＰＰモードにおける１つの構成についての、ＲＡＣＨバーストのサブフレーム占有状況を示す表である。
【図１０】本発明の方法によらない、３ＧＰＰモードにおける１つの構成についての、ＲＡＣＨバーストのサブフレーム占有状況を示す表である。
【図１１】本発明の方法によらない、３ＧＰＰモードにおける１つの構成についての、ＲＡＣＨバーストのサブフレーム占有状況を示す表である。
【図１２】本発明の方法による、ＴＳＭモードにおけるＲＡＣＨバーストのサブフレーム占有状況を示す表である。
【図１】
2004517582.tif 000003
【図２】
2004517582.tif 000004
【図３】
2004517582.tif 000005
【図４】
2004517582.tif 000006
【図５】
2004517582.tif 000007
【図６】
2004517582.tif 000008
【図７】
2004517582.tif 000009
【図８】
2004517582.tif 000010
【図９】
2004517582.tif 000011
【図１０】
2004517582.tif 000012
【図１１】
2004517582.tif 000013
【図１２】
2004517582.tif 000014
【国際公開パンフレット】
2004517582.tif 000015
2004517582.tif 000016
2004517582.tif 000017
2004517582.tif 000018
2004517582.tif 000019
2004517582.tif 000020
2004517582.tif 000021
2004517582.tif 000022
2004517582.tif 000023
2004517582.tif 000024
2004517582.tif 000025
2004517582.tif 000026
2004517582.tif 000027
2004517582.tif 000028
2004517582.tif 000029
2004517582.tif 000030
2004517582.tif 000031
2004517582.tif 000032
2004517582.tif 000033
2004517582.tif 000034
2004517582.tif 000035
2004517582.tif 000036
【国際調査報告】
2004517582.tif 000037
2004517582.tif 000038